(57)【要約】      （修正有）【課題】継手からの水漏れを防止する。【解決手段】雌側配管に接続する雌側継手２０を樹脂材料で成型し、雄側配管に接続する雄側継手３０は、先端部に近い外周面に、ゴムリング４を装着するシール溝３４が周方向に沿って形成し、シール溝３４よりも雄側配管方向に留め具５を装着する係止段部３５が周方向に沿って形成し、雄側継手３０先端部に対向する、雌側継手２０内面は当接部２６を備え、雄側継手３０の係止段部３５に対向する雌側継手２０には、留め具５を挿入する複数の長穴２４を備え、留め具５が当接する長穴２４の接触部２５を留め具５と同形状に構成し、雄側継手３０と、シール溝３４に装着したゴムリング４と、雌側継手２０と、係止段部３５に装着した前記留め具５と、によって、雄側継手３０と雌側継手２０を水密に接続することで、留め具５が接触する長穴２４からひび割れを起こして水漏れが発生することを防止する。【選択図】図２
2020063793.tif 000002
【特許請求の範囲】
【請求項１】
内部に水流路を有する配管を、軸方向に連結する配管用継手において、
雌側配管に接続する雌側継手を樹脂材料で成型し、
雄側配管に接続する雄側継手は、先端部に近い外周面に、ゴムリングを装着するシール溝が周方向に沿って形成され、
前記シール溝よりも前記雄側配管方向に留め具を装着する係止段部が周方向に沿って形成され、
前記雄側継手先端部に対向する、前記雌側継手内面には当接部を備え、
前記雄側継手の前記係止段部に対向する前記雌側継手には、前記留め具を挿入する複数の長穴を備え、
前記留め具が当接する前記長穴の接触部を前記留め具と同形状に構成し、
前記雄側継手と、前記シール溝に装着した前記ゴムリングと、前記雌側継手と、前記係止段部に装着した前記留め具と、によって、
前記雄側継手と前記雌側継手を水密に接続することを特徴とする配管用継手。
【請求項２】
前記留め具を略Ｕ字型で断面円形の針金で形成し、前記前記長穴の前記接触部を針金の径と略同一曲面に形成したことを特徴とする請求項１に記載の配管用継手。
【発明の詳細な説明】
【技術分野】
【０００１】
本発明は、給湯装置や空気調和機の冷温水配管の接続に使用する配管用継手に関するものである。
【背景技術】
【０００２】
従来例として特開２０１５−２１６３８号の浴槽用給湯口アダプタが有る。この浴槽用給湯口アダプタでは温水配管の接続に雌側継手と雄側継手を、軸方向に着脱自在に接続する継手が使用されている。雌側継手の側面に備える長穴に、軸と直交する方向から略Ｕ字形の留め金を差し込むことで、雌側継手と雄側継手とを連結後に、雌側継手と雄側継手が外れることを防止していた。また、この種の継手は、軽量化や取り扱いのしやすさから硬質合成樹脂の一体成型で製造されていた。（例えば、特許文献１参照）
【先行技術文献】
【特許文献】
【０００３】
【特許文献１】特開２０１５−２１６３８号公報
【発明の概要】
【発明が解決しようとする課題】
【０００４】
ところで、上記の特許文献１のものでは、経年変化によって合成樹脂が劣化するとひび割れが発生し、このひび割れによって、水漏れが発生する危険が有る。特に、金属製の留め金と接触する、雌側継手の長穴の接触部は接触面積が小さいために、この接触部からひび割れが発生し、接触部が壊れた場合には雌雄の継手が外れて大量の水漏れが発生する問題が有る。
【課題を解決するための手段】
【０００５】
本発明は上記課題を解決するために、内部に水流路を有する配管を、軸方向に連結する配管用継手において、雌側配管に接続する雌側継手を樹脂材料で成型し、雄側配管に接続する雄側継手は、先端部に近い外周面に、ゴムリングを装着するシール溝が周方向に沿って形成され、前記シール溝よりも前記雄側配管方向に留め具を装着する係止段部が周方向に沿って形成され、前記雄側継手先端部に対向する、前記雌側継手内面には当接部を備え、前記雄側継手の前記係止段部に対向する前記雌側継手には、前記留め具を挿入する複数の長穴を備え、前記留め具が当接する前記長穴の接触部を前記留め具と同形状に構成し、前記雄側継手と、前記シール溝に装着した前記ゴムリングと、前記雌側継手と、前記係止段部に装着した前記留め具と、によって、前記雄側継手と前記雌側継手を水密に接続するようにした。
【発明の効果】
【０００６】
本発明によれば、留め具が当接する長穴の接触部を留め具と同形状に構成することで、留め具と接触部の接触面積を大きくし、接触部の破壊を防止して、雌雄の継手が外れて大量の水漏れが発生することを防ぐことができる。
【図面の簡単な説明】
【０００７】
【図１】この発明の一実施形態の正面方向の断面図。
【図２】同継手の接続と留め具の取付を表す左側面図。
【図３】同図１のＡ−Ａ拡大断面図。
【図４】同雌側継手の拡大正面図。
【発明を実施するための形態】
【０００８】
本発明の配管継手１の一実施形態を図面に基づき説明する。
２は給湯装置や空気調和機で使用される配管で、樹脂製のホースや銅管から成り、内部に冷温水が流通する水流路３を有する。配管２は水栓やヘッダー等の機能部品（図示せず）を接続して使用され、必要に応じて配管２どうしの接続や、配管２と機能部品の接続に配管継手１が使用される。
【０００９】
２０は雌側継手で、硬質の合成樹脂材料によって一体成型されている。雌側継手２０の一端には配管接続口２１を有し、雌側配管２２が接続されている。配管接続口２１と雌側配管２２は接着剤や溶着、あるいは雌側配管２２の外周を締め付ける固定具（図示せず）によって固定されている。雌側継手２０の他端には継手側接続口２３を有している。
【００１０】
３０は雄側継手で、硬質の合成樹脂材料または金属製の鋳物によって成型されている。雄側継手３０の一端には配管接続口３１を有し、雄側配管３２が接続されている。配管接続口３１と雄側配管３２は接着剤や溶着、あるいは雄側配管３２の外周を締め付ける固定具（図示せず）によって固定されている。雄側継手３０の他端には継手側接続口３３を有している。継手側接続口３３の先端部に近い外周面に、ゴムリング４を装着するシール溝３４が周方向に沿って形成されている。
【００１１】
３５はシール溝３４よりも雄側配管３２方向で、かつ、周方向に沿って形成される係止段部で、この係止段部３５に沿った雌側継手２０には、周方向に長い４ヶ所の長穴２４を有している。雌側継手２０に雄側継手３０を装着した状態で、Ｕ字型の金具５（留め具）を長穴２４から水流路３と直交する方向に挿入することで、金具５が係止段部３５に係止しすることで、雌側継手２０と雄側継手３０が抜け外れることを防止している。また、周方向に長い長穴２４の雄側配管３２方向には接触部２５を備えている。この接触部２５は図４で示す様に、正面視で雄側継手３０の外周に近い長穴２４の内側に位置する。また、金具５は内側にバネ性を有し、この金具５が当設する長穴２４の接触部２５は、金具５の外周の径と同じＲ形状にすることで、金具５と接触部２５の接触面積を大きくする。これによって、雌側継手２０に長穴２４から亀裂が入って、経年変化で大きくなった亀裂によって金具５が外れ、雌側継手２０と雄側継手３０が抜けることで大量な水漏れが発生することを防止している。
【００１２】
３６は雄側継手３０の先端部で、この先端部３６に対向する雌側継手２０内面には段形状の当接部２６を備え、雄側継手３０は当接部２６と長穴２４の間を水流路３の方向に、少し摺動するることで遊び寸法を備えている。そして、ゴムリング４の作用を加えることで、雄側継手３０と雌側継手２０を水密に接続することができる。
【００１３】
以上説明したように、本発明によれば、留め具５が当接する長穴２４の接触部２５を留め具５と同形状に構成することで、留め具５と接触部２５の接触面積を大きくし、接触部２５の破壊を防止して、雌雄の継手２０・３０が外れて大量の水漏れが発生することを防ぐことができる。
【００１４】
また、本実施形態で用いた構成は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００１５】
１  配管継手
２  配管
３  水流路
４  ゴムリング
５  金具（留め具）
２０  雌側継手
２１  配管接続口
２２  雌側配管
２４  長穴
２５  接続部
２６  当接部
３０  雄側継手
３２  雄側配管
３４  シール溝
３５  係止段部
【図１】
2020063793.tif 000003
【図２】
2020063793.tif 000004
【図３】
2020063793.tif 000005
【図４】
2020063793.tif 000006